(57)【特許請求の範囲】
【請求項１】
旗の一側縁の基端から先端側に向かって直線的に延びる直線挿入部と該直線挿入部の先端から前記旗の一側縁の最先端部分に向かって円弧状に延びる曲線挿入部とを筒状に構成した旗竿挿入袋部の前記直線挿入部に挿入される竿本体部と、
前記竿本体部の先端部分に着脱自在に装着され且つ前記旗の前記旗竿挿入袋部の先端側に位置する前記曲線挿入部に挿入される予め湾曲させて形成された円弧状の継竿部と、
前記継竿部及び前記竿本体部に設けられ且つ前記旗の前記一側縁を挟持可能な複数のクリップ装置をそれぞれ取り付けるための複数の係止部と、
を具備し、
前記継竿部は、円弧状に湾曲する外形部分からその内側に突出した補強リブを有し、この補強リブの高さが、当該継竿部の基端側から先端側に向かうにつれて徐々に低くなるように形成され、
また、前記継竿部は、円弧状の第１の分割継竿部と円弧状の第２の分割継竿部との二つの部品で構成されており、前記第１の分割継竿部の一端に設けられた爪部を有する挿入部と、前記第２の分割継竿部の一端に設けられ且つ前記爪部と係合する爪係合孔を有すると共に前記挿入部が内側に挿入される筒部と、を介して前記第１及び第２の分割継竿部どうしを着脱自在に装着する着脱機構を備え、
さらに、前記着脱機構は、前記筒部内への挿入方向に沿うようにして前記挿入部の外形面上に形成された溝部と、前記溝部と係合するように前記筒部の内壁面上に前記挿入方向に沿って形成された突起部と、から構成されて、前記筒部内へ前記挿入部が挿入されるときの挿入ガイドとして機能すると共に前記第１及び第２の分割継竿部が互いに装着された状態でこれらを回り止めする回り止め機構を備えている、
ことを特徴とする旗竿。
【発明の詳細な説明】
【技術分野】
【０００１】
この発明は、のぼりのフレーム部分を構成する旗竿に関する。
【背景技術】
【０００２】
従来、のぼりは、各種イベントの広告、店舗の営業案内、商品に関する宣伝など、広告媒体として広く利用されている。ここで、旗の側部の端縁に設けられた袋状部に旗竿を挿入したかたちで構成されるのぼりが知られている（例えば特許文献１参照）。
【０００３】
すなわち、図１３及び図１４に示すように、この文献に例示されるのぼり５１では、旗竿５３は、その本体部分を構成する硬質管体５６と、この硬質管体５６の先端部分に着脱自在に装着される弾性変形可能な湾曲部材５５とで主に構成される。また、旗竿５３が挿入される旗５２の袋状部５２ａは、旗竿５３の挿入経路の先端側が湾曲した形状で構成されている。
【０００４】
したがって、旗竿５３は、その先端部分を湾曲状に弾性変形させつつ旗５２の袋状部５２ａ内に挿入されている。
【特許文献１】登録実用新案第３０１５３５７号公報
【発明の開示】
【発明が解決しようとする課題】
【０００５】
しかしながら、このような構造ののぼり５１は、組み立ての際には、本来直線的に延びている旗竿５３の先端部分を撓ませつつ、この旗竿５３を旗５２の袋状部５２ａ内に挿入することになるため、構造的に組み立て作業が難しくなっている。また、旗５２の袋状部５２ａ内に挿入された旗竿５３は、撓んだ状態から直線的に延びようとする負荷を旗５２側に常時与え続けるため、旗５２の袋状部５２ａの湾曲している部分やその周辺部分に絶えず引張力（緊張力）が作用し、この部位の外観の質感（見栄え）の低下や、さらには袋状部５２ａの耐久性の低下などを招いている。
【０００６】
そこで本発明は、上記事情を考慮してなされたもので、旗の外観の質感を低下させることなく、のぼりの組立作業性及び耐久性の改善を図ることができる旗竿の提供を目的とする。
【課題を解決するための手段】
【０００７】
上記目的を達成するために、本発明に係る旗竿は、旗の一側縁の基端から先端側に向かって直線的に延びる直線挿入部と該直線挿入部の先端から前記旗の一側縁の最先端部分に向かって円弧状に延びる曲線挿入部とを筒状に構成した旗竿挿入袋部の前記直線挿入部に挿入される竿本体部と、前記竿本体部の先端部分に着脱自在に装着され且つ前記旗の前記旗竿挿入袋部の先端側に位置する前記曲線挿入部に挿入される予め湾曲させて形成された円弧状の継竿部と、前記継竿部及び前記竿本体部に設けられ且つ前記旗の前記一側縁を挟持可能な複数のクリップ装置をそれぞれ取り付けるための複数の係止部と、を具備し、前記継竿部は、円弧状に湾曲する外形部分からその内側に突出した補強リブを有し、この補強リブの高さが、当該継竿部の基端側から先端側に向かうにつれて徐々に低くなるように形成され、また、前記継竿部は、円弧状の第１の分割継竿部と円弧状の第２の分割継竿部との二つの部品で構成されており、前記第１の分割継竿部の一端に設けられた爪部を有する挿入部と、前記第２の分割継竿部の一端に設けられ且つ前記爪部と係合する爪係合孔を有すると共に前記挿入部が内側に挿入される筒部と、を介して前記第１及び第２の分割継竿部どうしを着脱自在に装着する着脱機構を備え、さらに、前記着脱機構は、前記筒部内への挿入方向に沿うようにして前記挿入部の外形面上に形成された溝部と、前記溝部と係合するように前記筒部の内壁面上に前記挿入方向に沿って形成された突起部と、から構成されて、前記筒部内へ前記挿入部が挿入されるときの挿入ガイドとして機能すると共に前記第１及び第２の分割継竿部が互いに装着された状態でこれらを回り止めする回り止め機構を備えている、ことを特徴とする。
【０００８】
この発明では、のぼりの組み立ての際には、旗の端縁に設けられた旗竿挿入袋部の直線挿入部に対して、例えば継竿部を取り外した状態の竿本体部を挿入し、一方、旗竿挿入袋部の曲線挿入部に対しては、その曲線挿入部の円弧形状に対応するように予め湾曲させて形成された円弧状の継竿部が挿入される。さらに、旗竿挿入袋部にそれぞれ挿入された竿本体部と継竿部とを互いに装着する。
【０００９】
したがって、この発明によれば、旗竿を旗竿挿入袋部内に挿入する際に、例えば旗竿の先端部分を撓ませる必要などがなく、しかも、旗竿を分割した状態で旗竿挿入袋部内に挿入できるので、のぼりを組み立てる際の作業性を向上させることができる。また、この発明によれば、旗竿挿入袋部の円弧状の曲線挿入部に挿入される旗竿の継竿部が、曲線挿入部の円弧形状に対応するように、予め湾曲した円弧形状で形成されているので、例えば継竿部が撓みこれによって生じる負荷などが旗の旗竿挿入袋部に加わることがなく、これにより、旗の旗竿挿入袋部の耐久性の低下や、旗竿挿入袋部の周辺部分における旗の外観の質感（見栄え）が低下することなどを防止できる。
【００１０】
また、この発明によれば、機械的強度が先端側に向かうにつれて徐々に低くなるように継竿部、つまり旗竿の先端部分が構成されることになるので、旗が風を受けて旗竿が撓む際の負荷の吸収の適正化が図られ、これにより旗竿の耐久性を向上させることができる。
【００１１】
さらに、この発明によれば、のぼりを組み立てる際において、旗竿の継竿部をさらに分割した状態で旗竿挿入袋部の円弧状の曲線挿入部内に挿入することができるので、のぼりを組み立てる際の作業性のさらなる向上を図ることができる。また、この発明によれば、旗竿の運搬作業などを容易に行うことができる。
【００１２】
また、この発明によれば、旗竿側の係止部に取り付けられる複数のクリップ装置で旗を挟持することにより、のぼりを組み立てることができるので、旗の旗竿挿入袋部内に旗竿を挿入する必要などがなくなり、のぼりの組立作業性を高めることができる。
【発明の効果】
【００１３】
このように本発明によれば、旗の外観の質感を低下させることなく、のぼりの組立作業性及び耐久性の改善を図ることが可能な旗竿を提供することができる。
【発明を実施するための最良の形態】
【００１４】
以下、本発明を実施するための最良の形態を図面に基づき説明する。
図１は、本発明の実施形態に係る旗竿を備えて構成されるのぼりを示す正面図、図２は、図１の旗竿の最先端部分に設けられた先端側継竿部を拡大して示す平面図、図３は、図２の先端側継竿部を拡大して示す正面図である。また、図４は、図２に示す先端側継竿部の基端部に接続される中段継竿部を示す正面図、図５は、図３に示す先端側継竿部と図４に示す中段継竿部とが接続された状態を詳細に示す断面図である。さらに、図６〜図８は、図３に示す先端側継竿部のＡ−Ａ断面図、Ｂ−Ｂ断面図、Ｃ−Ｃ断面図をそれぞれ示している。また、図９は、図５に示す先端側継竿部と中段継竿部との接続部分のＤ−Ｄ断面図である。
【００１５】
この実施形態に係るのぼり１は、図１に示すように、地面などに据え置くための基台となる、筒部７ａを有する支持台７と、支持台７の筒部７ａに起立した姿勢で挿着される旗竿３と、旗竿３に保持された布製の旗２とから構成される。旗２は、帯状に形成されており、その一側縁、つまり側部の端縁に筒状に構成された旗竿挿入袋部２ａを備えている。旗竿挿入袋部２ａは、旗２の一側縁の基端から先端側に向かって直線的に延びる直線挿入部２ｂと該直線挿入部２ｂの先端から旗２の一側縁の最先端部分に向かって円弧状に延びる曲線挿入部２ｃとを有する。
【００１６】
旗竿３は、例えば、ＡＢＳ樹脂やポリカーボネートなどの樹脂材料で構成されている。また、旗竿３は、図１〜図４に示すように、旗竿挿入袋部２ａの直線挿入部２ｂに挿入される竿本体部６と、旗竿挿入袋部２ａの先端側に位置する曲線挿入部２ｃに挿入される予め湾曲させて形成された円弧状の継竿部５とから構成される。ここで、継竿部５は、その基端側を構成する第１の分割継竿部としての中段継竿部８と継竿部本体の先端側を構成する第２の分割継竿部としての先端側継竿部９との２ピースに、当該継竿部本体を分割することの可能な着脱機構（分割機構）２０を備えている。
【００１７】
図５に示すように、この中段継竿部８と先端側継竿部９とを互いに着脱可能とする着脱機構２０は、中段継竿部８の先端部８ｂを構成する挿入部８ｅ及び爪部８ｆと、先端側継竿部９の基端部９ａを構成する筒部９ｅ及び爪係合孔９ｆとで実現される。つまり、先端側継竿部９の基端の筒部９ｅに中段継竿部８の先端の挿入部８ｅを挿入して、爪係合孔９ｆに爪部８ｆを係合することで、これら中段継竿部８と先端側継竿部９とが互いに装着される。また、継竿部５の着脱機構２０は、図９に示すように、中段継竿部８と先端側継竿部９との装着部分に回り止め機構２５を備える。
【００１８】
すなわち、先端側継竿部９の筒部９ｅには、その内壁面から径方向に突出する突起部（凸部）９ｇが、先端側継竿部９の長手方向に沿って形成されている。一方、中段継竿部８の挿入部８ｅには、その外形部分の一部を径方向に窪ませた溝部（凹部）８ｇが、上記の突起部（凸部）９ｇの位置と対応するように、中段継竿部８の長手方向に沿って形成されている。したがって、中段継竿部８と先端側継竿部９とが互いに装着された状態では、図９に示すように、突起部９ｇと溝部８ｇとが係合し、中段継竿部８と先端側継竿部９とが回り止めされる。また、回り止め機構２５を構成する突起部９ｇ及び溝部８ｇは、中段継竿部８と先端側継竿部９とが互いに装着（挿入）される際の装着ガイドとして機能する。
【００１９】
また、図４に示すように、中段継竿部８は、竿本体部６の先端の筒部に着脱自在に装着される挿入部８ａを基端部に備える。さらに、中段継竿部８は、剛性を高めるために径方向に突出した補強リブ８ｃをほぼ全長にわたって有し、また、補強リブ８ｃ上には、後述する係止部８ｄが長さ方向に所定の間隔を空けて複数設けられている。
【００２０】
一方、図２及び図３に示すように、先端側継竿部９は、当該先端側継竿部本体の旗竿挿入袋部２ａへの挿入を円滑に行えるように、最先端部分に略球形状に形成された球状部９ｂを備える。また、中段継竿部８は、剛性を高めるために径方向に突出した補強リブ９ｃをほぼ全長にわたって有し、また、補強リブ９ｃ上には、後述する係止部９ｄが長さ方向に所定の間隔を空けて複数設けられている。ここで、この補強リブ９ｃの高さは、図６〜図８に示すように、先端側継竿部９の基端側から先端側に向かうにつれて徐々に低くなるように形成されている。また、中段継竿部８の補強リブ８ｃも同様にその高さが基端側から先端側に向かうにつれて徐々に低くなるように形成されていてもよい。これにより、機械的強度が先端側に向かうにつれて徐々に低くなるように継竿部５、つまり旗竿３の先端部分が構成されることになるので、旗２が風を受けて旗竿３が撓む際の負荷の吸収の適正化が図られ、これにより旗竿３の耐久性を向上させることができる。
【００２１】
また、このように構成される本実施形態の旗竿３では、のぼり１の組み立ての際には、旗の端縁に設けられた旗竿挿入袋部２ａの直線挿入部２ｂに対して、例えば継竿部５を取り外した状態の竿本体部６を挿入し、一方、旗竿挿入袋部２ａの曲線挿入部２ｃに対しては、その曲線挿入部２ｃの円弧形状に対応するように予め湾曲させて形成された円弧状の継竿部５が挿入される。詳細には、中段継竿部８から分割された先端側継竿部９が、まず曲線挿入部２ｃの先端側に挿入され、続いて、中段継竿部８が曲線挿入部２ｃの基端部側に挿入される。この後、旗竿挿入袋部２ａにそれぞれ挿入された竿本体部６、中段継竿部８、及び先端側継竿部９を順次装着する。
【００２２】
したがって、この実施形態によれば、旗竿３を旗竿挿入袋部２ａ内に挿入する際に、例えば旗竿３の先端部分を撓ませる必要などがなく、しかも、旗竿３を分割した状態で旗竿挿入袋部２ａ内に挿入できるので、のぼり１を組み立てる際の作業性を向上させることができる。また、この実施形態では、旗竿挿入袋部２ａの円弧状の曲線挿入部２ｃに挿入される旗竿３の継竿部５が、曲線挿入部２ｃの円弧形状に対応するように、予め湾曲した円弧形状で形成されている。したがって、例えば継竿部５が撓みこれによって生じる負荷などが旗２の旗竿挿入袋部２ａに加わることがなく、これにより、旗２の旗竿挿入袋部２ａの耐久性の低下や、旗竿挿入袋部２ａの周辺部分における旗２の外観の質感（見栄え）が低下することなどを防止できる。また、旗竿３を上記のように複数に分割することができるので、のぼり１の構成部品の運搬を容易に行うことができる。
【００２３】
以上、本発明を実施の形態により具体的に説明したが、本発明は前記の実施形態にのみ限定されるものではなく、その要旨を逸脱しない範囲で種々変更可能である。例えば、上述した実施形態に代えて、図１０に示すように、上記した旗竿３の継竿部（中段継竿部８及び先端側継竿部９）５に設けられた複数の係止部８ｄ、９ｄ、並びに竿本体部６に設けられた複数の係止部（図示せず）を利用してのぼり３０を構成してもよい。すなわち、旗竿３の孔部を有する係止部８ｄ、９ｄには、図１０〜図１２に示すように、旗３２の一側縁３２ａを挟持する複数のクリップ装置３１がそれぞれ取り付けられている。このクリップ装置３１は、旗３２の表面を直接挟持する摩擦抵抗の高い例えばエラストマ樹脂製の挟持部４４、４５をそれぞれ備えた一対のクランプ部４１、４２と、図１２に示すように、挟持部４４、４５を互いに接触（押圧）させる方向にクランプ部４１、４２を付勢するばね３３とを備える。
【００２４】
したがって、この構成によれば、旗竿３側の係止部８ｄ、９ｄに取り付けられる複数のクリップ装置３１で旗３２を挟持することにより、のぼり３０を組み立てることができるので、旗３２の旗竿挿入袋部内に旗竿を挿入する必要などがなくなり、のぼり３０の組立作業性を高めることができる。また、旗竿挿入袋部を旗に設けることなども不要となる。
【図面の簡単な説明】
【００２５】
【図１】本発明の実施形態に係る旗竿を備えて構成されるのぼりを示す正面図。
【図２】図１の旗竿の最先端部分に設けられた先端側継竿部を拡大して示す平面図。
【図３】図２の先端側継竿部を拡大して示す正面図。
【図４】図２に示す先端側継竿部の基端部に接続される中段継竿部を示す正面図。
【図５】図３に示す先端側継竿部と図４に示す中段継竿部とが接続された状態を詳細に示す断面図。
【図６】図３に示す先端側継竿部のＡ−Ａ断面図。
【図７】図３に示す先端側継竿部のＢ−Ｂ断面図。
【図８】図３に示す先端側継竿部のＣ−Ｃ断面図。
【図９】図５に示す先端側継竿部と中段継竿部との接続部分のＤ−Ｄ断面図。
【図１０】本発明の実施形態に係る旗竿を適用して構成された図１と異なる構成ののぼりを示す正面図。
【図１１】図９に示すのぼりの旗竿に対する旗部への取り付けに用いられる旗クリップ装置を示す図。
【図１２】図１０に示す旗クリップ装置の挟持部が閉じた状態を示す図。
【図１３】従来の旗竿を備えて構成されるのぼりを示す正面図。
【図１４】図１２の旗竿の構造を示す分解斜視図。
【符号の説明】
【００２６】
１，３０…のぼり、２，３２…旗部、２ａ…旗竿挿入袋部、２ｂ…直線挿入部、２ｃ…曲線挿入部、３…旗竿、５…継竿部、６…竿本体部、８ｃ，９ｃ…補強リブ、８ｄ，９ｄ…係止部、２０…着脱機構、２５…回り止め機構、３１…クリップ装置。
【図１】
0004398941.tif 000002
【図２】
0004398941.tif 000003
【図３】
0004398941.tif 000004
【図４】
0004398941.tif 000005
【図５】
0004398941.tif 000006
【図６】
0004398941.tif 000007
【図７】
0004398941.tif 000008
【図８】
0004398941.tif 000009
【図９】
0004398941.tif 000010
【図１０】
0004398941.tif 000011
【図１１】
0004398941.tif 000012
【図１２】
0004398941.tif 000013
【図１３】
0004398941.tif 000014
【図１４】
0004398941.tif 000015